(57)【特許請求の範囲】
【請求項１】
複数のゲートラインと複数のデータラインとによって定義される領域ごとに形成された液晶セルを有する映像表示部と、
前記各データラインにアナログビデオ信号を供給するデータドライバと、
前記各ゲートラインにスキャンパルスを供給するゲートドライバと、
入力データにおける隣接フレーム間の静止映像及び動映像を判断して、前記静止映像と動映像の境界部でアンダーシュートのみ発生する変調データを生成するデータ変換部と、
前記変調データを整列して前記データドライバに供給するとともに、前記データドライバ及びゲートドライバを制御するタイミングコントローラと、
を備え、
前記データ変換部は、前記入力データからの輝度成分を変調する映像変調部を備え、
前記映像変調部は、
前記入力データからの現フレームの輝度成分と前フレームの輝度成分とをｉ×ｉブロック単位で比較し（ただし、ｉは、３以上の正の整数）、前記ｉ×ｉブロック単位の前記動きベクトルを検出するブロック動き検出部と、
前記現フレームの輝度成分と前記前フレームの輝度成分とをピクセル単位で比較し、ピクセル単位の動き信号を生成するピクセル動き検出部と、
前記動きベクトルと前記動き信号によって、前記アンダーシュートの強度を調節するためのゲイン値及び前記動き方向を設定するゲイン値設定部と、
前記ゲイン値設定部からのゲイン値及び動き方向によって、前記ｉ×ｉブロック単位の輝度成分でのオーバーシュートの発生を最小化するとともに、前記アンダーシュートを発生させる動きフィルタ部と、
前記動きフィルタ部でフィルタリングされた輝度成分と前記ゲイン値とを乗算して変調された輝度成分を前記ミキシング部に供給する乗算部と、
を備えることを特徴とする、液晶表示装置の駆動装置。
【請求項２】
前記データ変換部は、前記入力データの動きベクトルを検出して前記アンダーシュートの大きさを調節することを特徴とする、請求項１に記載の液晶表示装置の駆動装置。
【請求項３】
前記データ変換部は、
前記入力データをフレーム単位に逆ガンマ補正して第１データを生成する逆ガンマ変換部と、
前記第１データを前記輝度成分と色度成分とに分離する輝度／色度分離部と、
前記輝度／色度分離部から供給される前フレームデータの輝度成分と現フレームデータの輝度成分とを用いて前記静止映像及び動映像を判断するとともに、前記動映像から動きベクトルを検出し、前記動きベクトルによって前記アンダーシュートが発生するように前記現フレームの輝度成分をフィルタリングし、変調された輝度成分を生成する映像変調部と、
前記変調された輝度成分と前記色度成分とをミキシングして第２データを生成するミキシング部と、
前記ミキシング部から第２データをガンマ補正して前記変調データを生成するガンマ変換部と、
を備えることを特徴とする、請求項２に記載の液晶表示装置の駆動装置。
【請求項４】
前記データ変換部は、
前記入力データをフレーム単位に逆ガンマ補正して第１データを生成する逆ガンマ変換部と、
前記第１データを前記輝度成分と色度成分とに分離する輝度／色度分離部と、
前記輝度／色度分離部から供給される前フレームデータの輝度成分と現フレームデータの輝度成分とを用いて前記静止映像及び動映像を判断するとともに、前記動映像から動きベクトルを検出し、前記動きベクトルによって前記アンダーシュートが発生するように前記現フレームの輝度成分をフィルタリングし、変調された輝度成分を生成する映像変調部と、
前記変調された輝度成分と前記色度成分とをミキシングして第２データを生成するミキシング部と、
前記ミキシング部から第２データをガンマ補正して第３データを生成するガンマ変換部と、
前記第３データを液晶の応答速度を速くするために、前記第３のデータを前記変調データに変換する高速駆動回路と、
を備えることを特徴とする、請求項２に記載の液晶表示装置の駆動装置。
【請求項５】
前記動きベクトルは、前記隣接したフレーム間の動き方向と動き速度とを含むことを特徴とする、請求項３または４に記載の液晶表示装置の駆動装置。
【請求項６】
前記アンダーシュートの幅は前記動き速度によって調節され、前記アンダーシュートの深さは動き方向によって調節されることを特徴とする、請求項５に記載の液晶表示装置の駆動装置。
【請求項７】
前記映像変調部は、
前記輝度／色度分離部から供給される前記輝度成分を少なくとも３水平ライン単位に保存するラインメモリ部と、
前記ラインメモリ部から前記ｉ×ｉブロック単位の輝度成分を受け取り、前記ｉ×ｉブロック単位の輝度成分をローパスフィルタリングして前記動きフィルタ部で供給する低域通過フィルタ部と、
前記輝度／色度分離部から供給される前記輝度成分をフレーム単位で保存し、前記ブロック動き検出部と前記ピクセル動き検出部のそれぞれで前記前フレームの輝度成分を供給する第１及び第２フレームメモリと、
をさらに備えることを特徴とする、請求項５に記載の液晶表示装置の駆動装置。
【請求項８】
前記動きフィルタ部は、
前記ローパスフィルタリングされた前記ｉ×ｉブロック単位の輝度成分において中央部を除く周辺領域の輝度成分を合算する合算部と、
前記中央部の輝度成分と前記合算部によって合算された輝度成分とを比較して比較信号を生成する比較部と、
前記比較信号によって、前記ゲイン値を用いて前記ｉ×ｉブロック単位で輝度成分の和が“１”となるようにフィルタリングし前記オーバーシュートを最小化させて前記乗算部に供給する第１フィルタと、
前記比較信号によって、前記ゲイン値及び前記動き方向を用いて前記ｉ×ｉブロック単位で輝度成分の和が“０”となるようにフィルタリングし前記アンダーシュートを発生させて前記乗算部に供給する第２フィルタと、
を備えることを特徴とする、請求項７に記載の液晶表示装置の駆動装置。
【請求項９】
前記高速駆動回路は、
前記ガンマ変換部から供給される前記第３データをフレーム単位で保存するフレームメモリと、
前記ガンマ変換部から供給される現フレームの第３データと前記フレームメモリからの前フレームの第３データとを用いて前記変調データを生成するルックアップテーブルと、
を備えることを特徴とする、請求項４に記載の液晶表示装置の駆動装置。
【請求項１０】
前記高速駆動回路は、前記ルックアップテーブルからの前記変調データと前記現フレームの第３データとをミキシングして前記タイミングコントローラに供給するミキシング部をさらに備えることを特徴とする、請求項９に記載の液晶表示装置の駆動装置。
【請求項１１】
複数のゲートラインと複数のデータラインとによって定義される領域ごとに形成された液晶セルを有する映像表示部を備えた液晶表示装置の駆動方法であって、
入力データにおける隣接フレーム間の静止映像及び動映像を判断し、前記静止映像と動映像の境界部でアンダーシュートのみ発生する変調データを生成する段階と、
前記各ゲートラインにスキャンパルスを供給する段階と、
前記スキャンパルスに同期するように前記変調データをアナログビデオ信号に変換して前記各データラインに供給する段階と、を備え、
前記変調データを生成する段階は、前記入力データからの輝度成分を変調する段階を備え、
前記輝度成分を変調する段階は、
前記入力データからの現フレームの輝度成分と前フレームの輝度成分とをｉ×ｉブロック単位で比較し（ただし、ｉは、３以上の正の整数）、前記ｉ×ｉブロック単位の前記動きベクトルを検出する段階と、
前記現フレームの輝度成分と前記前フレームの輝度成分とをピクセル単位で比較し、ピクセル単位の動き信号を生成する段階と、
前記動きベクトルと前記動き信号によって、前記アンダーシュートの強度を調節するためのゲイン値及び前記動き方向を設定する段階と、
前記ゲイン値及び動き方向によって、前記ｉ×ｉブロック単位の輝度成分でのオーバーシュートの発生を最小化するとともに、前記アンダーシュートを発生させる段階と、
前記フィルタリングされた輝度成分と前記ゲイン値とを乗算し、変調された輝度成分を生成する段階と、
を備えることを特徴とする、液晶表示装置の駆動方法。
【請求項１２】
前記変調データを生成する段階は、前記入力データの動きベクトルを検出して前記アンダーシュートの大きさを調節することを特徴とする、請求項１１に記載の液晶表示装置の駆動方法。
【請求項１３】
前記変調データを生成する段階は、
前記入力データをフレーム単位で逆ガンマ補正して第１データを生成する段階と、
前記第１データを前記輝度成分と色度成分とに分離する段階と、
前フレームデータの輝度成分と現フレームデータの輝度成分とを用いて前記静止映像及び動映像を判断するとともに、前記動映像から動きベクトルを検出し、前記動きベクトルによって前記アンダーシュートが発生するように前記現フレームの輝度成分をフィルタリングして、前記輝度成分を変調する段階と、
前記変調された輝度成分と前記色度成分とをミキシングして第２データを生成する段階と、
前記第２データをガンマ補正して前記変調データを生成する段階と、
を備えることを特徴とする、請求項１２に記載の液晶表示装置の駆動方法。
【請求項１４】
前記変調データを生成する段階は、
前記入力データをフレーム単位に逆ガンマ補正して第１データを生成する段階と、
前記第１データを輝度成分と色度成分とに分離する段階と、
前フレームデータの輝度成分と現フレームデータの輝度成分とを用いて前記静止映像及び動映像を判断するとともに、前記動映像から動きベクトルを検出し、前記動きベクトルによって前記アンダーシュートが発生するように前記現フレームの輝度成分をフィルタリングして、前記輝度成分を変調する段階と、
前記変調された輝度成分と前記色度成分とをミキシングして第２データを生成する段階と、
前記第２データをガンマ補正して第３データを生成する段階と、
液晶の応答速度を速くするために、前記第３データを前記変調データに変換する段階と、
を備えることを特徴とする、請求項１２に記載の液晶表示装置の駆動方法。
【請求項１５】
前記動きベクトルは、前記隣接したフレーム間の動き方向と動き速度を含むことを特徴とする、請求項１３または１４に記載の液晶表示装置の駆動方法。
【請求項１６】
前記アンダーシュートの幅は前記動き速度によって調節され、前記アンダーシュートの深さは動き方向によって調節されることを特徴とする、請求項１５に記載の液晶表示装置の駆動方法。
【請求項１７】
前記輝度成分を変調する段階は、
前記輝度成分を少なくとも３水平ライン単位にラインメモリに保存する段階と、
前記ラインメモリ部から前記ｉ×ｉブロック単位の輝度成分を受け取り、前記ｉ×ｉブロック単位の輝度成分をローパスフィルタリングする段階と、
前記輝度成分をフレーム単位で第１及び第２フレームメモリに保存して、前記動きベクトルを検出する段階と前記ピクセル単位の動き信号を生成する段階の前フレームの輝度成分とをそれぞれ供給する段階と、
をさらに備えることを特徴とする、請求項１５に記載の液晶表示装置の駆動方法。
【請求項１８】
前記オーバーシュートが最小化するとともに、前記アンダーシュートが発生するようにフィルタリングする段階は、
前記ローパスフィルタリングされた前記ｉ×ｉブロック単位の輝度成分において中央部を除く周辺領域の輝度成分を合算する段階と、
前記中央部の輝度成分と前記合算部によって合算された輝度成分とを比較して比較信号を生成する段階と、
前記比較信号によって、前記ゲイン値を用いて前記ｉ×ｉブロック単位に輝度成分の和が“１”となるようにフィルタリングし前記オーバーシュートを最小化させて前記乗算部に供給する段階と、
前記比較信号によって、前記ゲイン値及び前記動き方向を用いて前記ｉ×ｉブロック単位に輝度成分の和が“０”となるようにフィルタリングし前記アンダーシュートを発生させて前記乗算部に供給する段階と、
を備えることを特徴とする、請求項１７に記載の液晶表示装置の駆動方法。
【請求項１９】
液晶の応答速度を速くするために、前記第３データを前記変調データに変換する段階は、
前記第３データをフレーム単位にフレームメモリに保存する段階と、
ルックアップテーブルを用いて、現フレームの第３データと前記フレームメモリからの前フレームの第３データを用いて前記変調データを生成する段階と、
を備えることを特徴とする、請求項１４に記載の液晶表示装置の駆動方法。
【請求項２０】
前記変調データを生成する段階は、前記ルックアップテーブルからの前記変調データと前記現フレームの第３データをミキシングする段階をさらに備えることを特徴とする、請求項１９に記載の液晶表示装置の駆動方法。
【発明の詳細な説明】
【技術分野】
【０００１】
本発明は、液晶表示装置に係り、特に、映像のモーションブラーを除去して画質を向上させることができる液晶表示装置の駆動装置及び駆動方法に関する。
【背景技術】
【０００２】
通常、液晶表示装置（Liquid Crystal Display）は、ビデオ信号によって液晶セルの光透過率を調節して映像を表示する。液晶セルごとにスイッチング素子が形成されたアクティブマトリクス（Active Matrix）タイプの液晶表示装置は、動映像を表示するのに適している。アクティブマトリクスタイプの液晶表示装置に使用されるスイッチング素子には、主として薄膜トランジスタ（Thin Film Transistor；以下、“ＴＦＴ”という。）が用いられている。
【０００３】
図１は、関連技術による液晶表示装置の駆動装置を概略的に示す図である。
図１を参照すると、関連技術による液晶表示装置の駆動装置は、ｎ本のゲートラインＧＬ１〜ＧＬｎとｍ本のデータラインＤＬ１〜ＤＬｍとによって定義される領域ごとに形成された液晶セルを有する映像表示部２と、データラインＤＬ１〜ＤＬｍにアナログビデオ信号を供給するデータドライバ４と、ゲートラインＧＬ１〜ＧＬｎにスキャンパルスを供給するゲートドライバ６と、外部から入力されるデータＲＧＢを整列してデータドライバ４に供給し、データ制御信号ＤＣＳを生成してデータドライバ４を制御すると同時に、ゲート制御信号ＧＣＳを生成してゲートドライバ６を制御するタイミングコントローラ８と、を備える。
【０００４】
映像表示部２は、互いに対向して合着されたトランジスタアレイ基板及びカラーフィルタアレイ基板と、これら両アレイ基板の間でセルギャップを一定に維持させるスペーサと、スペーサによって形成された液晶空間に埋め込まれた液晶と、を備える。
【０００５】
このような映像表示部２は、ｎ本のゲートラインＧＬ１〜ＧＬｎとｍ本のデータラインＤＬ１〜ＤＬｍとによって定義される領域に形成されたＴＦＴと、ＴＦＴに接続される液晶セルとを備える。ＴＦＴは、ゲートラインＧＬ１〜ＧＬｎからのスキャンパルスに応答してデータラインＤＬ１〜ＤＬｍからのアナログビデオ信号を液晶セルに供給する。液晶セルは、液晶を介在して対面する共通電極とＴＦＴに接続された画素電極で構成されるので、等価的に液晶キャパシタＣlｃで表示されることができる。このような液晶セルは、液晶キャパシタＣlｃに充電されたアナログビデオ信号を、次のアナログビデオ信号が充電される時まで保持するために、前段ゲートラインに接続されたストレージキャパシタＣｓｔを備える。
【０００６】
タイミングコントローラ８は、外部から入力されるデータＲＧＢを映像表示部２の駆動に合うように整列してデータドライバ４に供給する。また、タイミングコントローラ８は、外部から入力されるドットクロックＤＣＬＫ、データイネーブル信号ＤＥ、水平及び垂直同期信号Ｈｓｙｎｃ、Ｖｓｙｎｃを用いてデータ制御信号ＤＣＳとゲート制御信号ＧＣＳを生成して、データドライバ４とゲートドライバ６の駆動タイミングをそれぞれ制御する。
【０００７】
ゲートドライバ６は、タイミングコントローラ８からのゲート制御信号ＧＣＳのうちゲートスタートパルスＧＳＰとゲートシフトクロックＧＳＣに応答して、スキャンパルス、すなわち、ゲートハイパルスを順次に発生するシフトレジスタを備える。このゲートドライバ６は、ゲートハイパルスを映像表示部２のゲートラインＧＬに順次に供給して、ゲートラインＧＬに接続されたＴＦＴをターンオンさせる。
【０００８】
データドライバ４は、タイミングコントローラ８から供給されるデータ制御信号ＤＣＳによってタイミングコントローラ８からの整列されたデータ信号Ｄａｔａをアナログビデオ信号に変換し、ゲートラインＧＬにスキャンパルスが供給される１水平周期ごとに１水平ライン分のアナログビデオ信号をデータラインＤＬに供給する。すなわち、データドライバ４は、データ信号Ｄａｔａの階調値によって、所定レベルを有するガンマ電圧を選択し、選択されたガンマ電圧をデータラインＤＬ１〜ＤＬｍに供給する。このとき、データドライバ４は、極性制御信号ＰＯＬに応答して、データラインＤＬに供給されるアナログビデオ信号の極性を反転させるようになる。
【０００９】
このような関連技術による液晶表示装置の駆動装置は、液晶固有の粘性及び弾性などの特性によって応答速度が遅いという短所がある。すなわち、液晶応答速度は、液晶材料の物性とセルギャップなどによって異なってくるが、通常、立上り時間が２０〜８０ｍｓで、立下り時間が２０〜３０ｍｓである。このような液晶の応答速度は動く表示映像の１フレーム期間（ＮＴＳＣ：１６．６７ｍｓ）よりも長いため、図２のように液晶セルに充電される電圧が望む電圧に至る前に次のフレームに進行してしまう。
【００１０】
これにより、映像表示部２に表示される各フレームの表示映像が次のフレームの表示映像に影響を及ぼすため、図３に示すように、観覧者の知覚特性によって、映像表示部２に表示される動く表示映像がボケて見えるモーションブラー（Motion Blurring）現象が生じる。
【００１１】
したがって、関連技術による液晶表示装置の駆動装置及び駆動方法は、表示映像で発生するモーションブラー現象によってコントラスト比（Contrast Ratio）が低下し画質が落ちるという問題点があった。
【００１２】
このような関連技術の液晶表示装置で発生するモーションブラー現象を防止すべく、液晶の応答速度を速くするためにデータ信号を変調する高速駆動（Over Driving）装置が提案された。
【００１３】
図４は、関連技術による高速駆動装置を概略的に示すブロック図である。
図４を参照すると、関連技術による高速駆動装置５０は、入力される現フレームＦｎのデータＲＧＢを保存するフレームメモリ５２と、入力される現フレームＦｎのデータＲＧＢとフレームメモリ５２に保存している前フレームＦｎ−１のデータとを比較し、液晶の応答速度を速くするための変調データを生成するルックアップテーブル５４と、ルックアップテーブル５４からの変調データと現フレームＦｎのデータＲＧＢとをミキシングして出力するミキシング部５６と、を備える。
【００１４】
ルックアップテーブル５４には、速く変化する映像の階調値に対応するように液晶の応答速度を速くすべく、現フレームＦｎのデータＲＧＢの電圧よりも大きい電圧に変換するための変調データが登載される。
【００１５】
このように構成される関連技術による高速駆動装置５０は、ルックアップテーブル５４を用いて、図５に示すように実際のデータ電圧よりも大きい電圧を液晶に印加するため、液晶が目標階調電圧に合うようにより速く応答した後、実際望む階調値に到達するとその値を保持するようになる。
【００１６】
したがって、関連技術による高速駆動装置５０は、変調データを用いて液晶の応答速度を速くすることによって、表示映像のモーションブラー現象を減少させることができる。
【発明の開示】
【発明が解決しようとする課題】
【００１７】
しかしながら、関連技術による液晶表示装置は、高速駆動装置を用いて表示映像を表示するにもかかわらず、図６に示すように、各表示映像の境界部Ａ，Ｂで発生するモーションブラー現象によって表示映像が不鮮明になるという問題点があった。すなわち、表示映像の境界部Ａ，Ｂ間には勾配を有するように輝度が増加するため、液晶を高速駆動するにもかかわらずモーションブラー現象が発生するという問題点があった。
【００１８】
本発明は上記の問題点を解決するためのもので、その目的は、映像のモーションブラーを除去して画質を向上させることができる液晶表示装置の駆動装置及び駆動方法を提供することにある。
【課題を解決するための手段】
【００１９】
上記の目的を達成するために、本発明に係る液晶表示装置の駆動装置は、複数のゲートラインと複数のデータラインとによって定義される領域ごとに形成された液晶セルを有する映像表示部と、前記各データラインにアナログビデオ信号を供給するデータドライバと、前記各ゲートラインにスキャンパルスを供給するゲートドライバと、入力データにおける隣接フレーム間の静止映像及び動映像を判断して、前記静止映像と動映像の境界部でアンダーシュートのみ発生する変調データを生成するデータ変換部と、前記変調データを整列して前記データドライバに供給するとともに、前記データドライバ及びゲートドライバを制御するタイミングコントローラと、を備えることを特徴とする。
【００２０】
前記データ変換部は、前記入力データの動きベクトルを検出して前記アンダーシュートの大きさを調節することを特徴とする。
【００２１】
前記データ変換部は、前記入力データをフレーム単位に逆ガンマ補正して第１データを生成する逆ガンマ変換部と、前記第１データを輝度成分と色度成分とに分離する輝度／色度分離部と、前記輝度／色度分離部から供給される前フレームデータの輝度成分と現フレームデータの輝度成分を用いて前記静止映像及び動映像を判断するとともに、前記動映像から動きベクトルを検出し、前記動きベクトルによって前記アンダーシュートが発生するように前記現フレームの輝度成分をフィルタリングし、変調された輝度成分を生成する映像変調部と、前記変調された輝度成分と前記色度成分とをミキシングして第２データを生成するミキシング部と、前記ミキシング部から第２データをガンマ補正して前記変調データを生成するガンマ変換部と、を備えることを特徴とする。
【００２２】
前記データ変換部は、前記入力データをフレーム単位に逆ガンマ補正して第１データを生成する逆ガンマ変換部と、前記第１データを輝度成分と色度成分とに分離する輝度／色度分離部と、前記輝度／色度分離部から供給される前フレームデータの輝度成分と現フレームデータの輝度成分を用いて前記静止映像及び動映像を判断するとともに、前記動映像から動きベクトルを検出し、前記動きベクトルによって前記アンダーシュートが発生するように前記現フレームの輝度成分をフィルタリングし、変調された輝度成分を生成する映像変調部と、前記変調された輝度成分と前記色度成分とをミキシングして第２データを生成するミキシング部と、前記ミキシング部から第２データをガンマ補正して第３データを生成するガンマ変換部と、前記第３データを液晶の応答速度を速くするための前記変調データに変調する高速駆動回路と、を備えることを特徴とする。
【００２３】
前記映像変調部は、前記輝度／色度分離部から供給される前記輝度成分を少なくとも３水平ライン単位に保存するラインメモリ部と、前記ラインメモリ部からｉ×ｉブロック単位（ただし、ｉは、３以上の正の整数）の輝度成分を受け取り、前記ｉ×ｉブロック単位の輝度成分をローパスフィルタリングする低域通過フィルタ部と、前記輝度／色度分離部から供給される前記輝度成分をフレーム単位に保存する第１及び第２フレームメモリと、前記輝度／色度分離部から供給される現フレームの輝度成分と前記第１フレームメモリから供給される前フレームの輝度成分とを前記ｉ×ｉブロック単位に比較し、前記ｉ×ｉブロック単位の前記動きベクトルを検出するブロック動き検出部と、前記現フレームの輝度成分と前記第２フレームメモリから供給される前フレームの輝度成分とをピクセル単位に比較し、ピクセル単位の動き信号を生成するピクセル動き検出部と、前記動きベクトルと前記動き信号によって、前記アンダーシュートの強度を調節するためのゲイン値及び前記動き方向を設定するゲイン値設定部と、前記ゲイン値設定部からのゲイン値及び動き方向によって、前記低域通過フィルタ部からのローパスフィルタリングされた前記ｉ×ｉブロック単位の輝度成分でのオーバーシュートの発生を最小化するとともに、前記アンダーシュートを発生させる動きフィルタ部と、前記動きフィルタ部でフィルタリングされた輝度成分と前記ゲイン値とを乗算して変調された輝度成分を前記ミキシング部に供給する乗算部と、を備えることを特徴とする。
【００２４】
前記動きフィルタ部は、前記ローパスフィルタリングされた前記ｉ×ｉブロック単位の輝度成分において中央部を除く周辺領域の輝度成分を合算する合算部と、前記中央部の輝度成分と前記合算部によって合算された輝度成分とを比較して比較信号を生成する比較部と、前記比較信号によって、前記ゲイン値を用いて前記ｉ×ｉブロック単位に輝度成分の和が“１”となるようにフィルタリングし前記オーバーシュートを最小化させて前記乗算部に供給する第１フィルタと、前記比較信号によって、前記ゲイン値及び前記動き方向を用いて前記ｉ×ｉブロック単位に輝度成分の和が“０”となるようにフィルタリングし前記アンダーシュートを発生させて前記乗算部に供給する第２フィルタと、を備えることを特徴とする。
【００２５】
本発明に係る液晶表示装置の駆動方法は、複数のゲートラインと複数のデータラインとによって定義される領域ごとに形成された液晶セルを有する映像表示部を備えた液晶表示装置の駆動方法において、入力データにおける隣接フレーム間の静止映像及び動映像を判断し、前記静止映像と動映像の境界部でアンダーシュートのみ発生する変調データを生成する段階と、前記各ゲートラインにスキャンパルスを供給する段階と、
【００２６】
前記スキャンパルスに同期するように前記変調データをアナログビデオ信号に変換して前記各データラインに供給する段階と、を備えることを特徴とする。
【００２７】
前記変調データを生成する段階は、前記入力データの動きベクトルを検出して前記アンダーシュートの大きさを調節することを特徴とする。
【００２８】
前記変調データを生成する段階は、前記入力データをフレーム単位に逆ガンマ補正して第１データを生成する段階と、前記第１データを輝度成分と色度成分とに分離する段階と、前フレームデータの輝度成分と現フレームデータの輝度成分を用いて前記静止映像及び動映像を判断するとともに、前記動映像から動きベクトルを検出し、前記動きベクトルによって前記アンダーシュートが発生するように前記現フレームの輝度成分をフィルタリングし、変調された輝度成分を生成する段階と、前記変調された輝度成分と前記色度成分とをミキシングして第２データを生成する段階と、前記第２データをガンマ補正して前記変調データを生成する段階と、を備えることを特徴とする。
【００２９】
前記変調データを生成する段階は、前記入力データをフレーム単位に逆ガンマ補正して第１データを生成する段階と、前記第１データを輝度成分と色度成分とに分離する段階と、前フレームデータの輝度成分と現フレームデータの輝度成分を用いて前記静止映像及び動映像を判断するとともに、前記動映像から動きベクトルを検出し、前記動きベクトルによって前記アンダーシュートが発生するように前記現フレームの輝度成分をフィルタリングし、変調された輝度成分を生成する段階と、前記変調された輝度成分と前記色度成分とをミキシングして第２データを生成する段階と、前記第２データをガンマ補正して第３データを生成する段階と、前記第３データを液晶の応答速度を速くするための前記変調データに変調する段階と、を備えることを特徴とする。
【００３０】
前記変調された輝度成分を生成する段階は、前記輝度成分を少なくとも３水平ライン単位にラインメモリに保存する段階と、前記ラインメモリ部からｉ×ｉ（ただし、ｉは、３以上の正の整数）ブロック単位の輝度成分を受け取り、前記ｉ×ｉブロック単位の輝度成分をローパスフィルタリングする段階と、前記輝度成分をフレーム単位に第１及び第２フレームメモリに保存する段階と、現フレームの輝度成分と前記第１フレームメモリから供給される前フレームの輝度成分とを前記ｉ×ｉブロック単位に比較し、前記ｉ×ｉブロック単位の前記動きベクトルを検出する段階と、前記現フレームの輝度成分と前記第２フレームメモリから供給される前フレームの輝度成分とをピクセル単位に比較し、ピクセル単位の動き信号を生成する段階と、前記動きベクトルと前記動き信号によって、前記アンダーシュートの強度を調節するためのゲイン値及び前記動き方向を設定する段階と、前記ゲイン値及び動き方向によって、前記ローパスフィルタリングされた前記ｉ×ｉブロック単位の輝度成分においてオーバーシュートが最小化するとともに、前記アンダーシュートが発生するようにフィルタリングする段階と、前記フィルタリングされた輝度成分と前記ゲイン値を乗算部で乗算し、変調された輝度成分を生成する段階と、を備えることを特徴とする。
【００３１】
前記オーバーシュートが最小化するとともに、前記アンダーシュートが発生するようにフィルタリングする段階は、前記ローパスフィルタリングされた前記ｉ×ｉブロック単位の輝度成分において中央部を除く周辺領域の輝度成分を合算する段階と、前記中央部の輝度成分と前記合算部によって合算された輝度成分とを比較して比較信号を生成する段階と、前記比較信号によって、前記ゲイン値を用いて前記ｉ×ｉブロック単位に輝度成分の和が“１”となるようにフィルタリングし前記オーバーシュートを最小化させて前記乗算部に供給する段階と、前記比較信号によって、前記ゲイン値及び前記動き方向を用いて前記ｉ×ｉブロック単位に輝度成分の和が“０”となるようにフィルタリングし前記アンダーシュートを発生させて前記乗算部に供給する段階と、を備えることを特徴とする。
【発明の効果】
【００３２】
本発明に係る液晶表示装置の駆動装置及び駆動方法によれば、映像の動き方向及び速度によって静止映像と動映像の境界部でアンダーシュートのみが発生するように映像をフィルタリングして変調するため、静止映像と動映像が自然に分離され動映像が鮮明になり、遠近感効果による立体感ある動映像の表現が可能になる。
【００３３】
その結果、本発明による液晶表示装置の駆動装置及び駆動方法は、アルゴリズムを用いて別のパネル設計変更及びハードウェア変更を行わなくてもモーションブラー現象を除去でき、かつ、鮮明な動映像とノイズのない立体感ある静止映像が得られるという効果がある。
【発明を実施するための最良の形態】
【００３４】
以下、添付の図面に基づき、本発明の好適な実施例について詳細に説明する。
【００３５】
図７は、本発明の第１実施例による液晶表示装置の駆動装置を概略的に示す図面である。
図７を参照すると、本発明の第１実施例による液晶表示装置の駆動装置は、ｎ本のゲートラインＧＬ１〜ＧＬｎとｍ本のデータラインＤＬ１〜ＤＬｍとによって定義されるピクセル領域ごとに形成された液晶セルを有する映像表示部１０２と、データラインＤＬ１〜ＤＬｍにアナログビデオ信号を供給するデータドライバ１０４と、ゲートラインＧＬ１〜ＧＬｎにスキャンパルスを供給するゲートドライバ１０６と、外部から入力されるデータＲＧＢにおける隣接フレーム間の静止映像及び動映像を判断し、静止映像の境界部でアンダーシュート（Under Shoot）のみが発生するようにデータＲＧＢをフィルタリングして変調データＲ’Ｇ’Ｂ’を生成するデータ変換部１１０と、データ変換部１１０からの変調データＲ’Ｇ’Ｂ’を整列してデータドライバ１０４に供給し、データ制御信号ＤＣＳを生成してデータドライバ１０４を制御すると同時に、ゲート制御信号ＧＣＳを生成してゲートドライバ１０６を制御するタイミングコントローラ１０８と、を備える。
【００３６】
映像表示部１０２は、互いに対向して合着されたトランジスタアレイ基板及びカラーフィルタアレイ基板と、これら両アレイ基板間でセルギャップを一定に維持させるスペーサと、スペーサによって形成された液晶空間に埋め込まれる液晶と、を備える。
【００３７】
このような映像表示部１０２は、ｎ本のゲートラインＧＬ１〜ＧＬｎとｍ本のデータラインＤＬ１〜ＤＬｍとによって定義される領域に形成されたＴＦＴと、ＴＦＴに接続される液晶セルと、を備える。ＴＦＴは、ゲートラインＧＬ１〜ＧＬｎからのスキャンパルスに応答して、データラインＤＬ１〜ＤＬｍからのアナログビデオ信号を液晶セルに供給する。液晶セルは、液晶を介在して対面する共通電極とＴＦＴに接続された画素電極とで構成されるので、等価的に液晶キャパシタＣｌｃで表示されることができる。このような液晶セルは、液晶キャパシタＣｌｃに充電されたアナログビデオ信号を次のアナログビデオ信号が充電される時まで保持するために、前段ゲートラインに接続されたストレージキャパシタＣｓｔを備える。
【００３８】
データ変換部１１０は、外部から入力される前フレームデータと現フレームデータを用いてデータの静止映像及び動映像を判断するとともに、動映像データから動きベクトルを検出し、動きベクトルによって静止映像の境界部でアンダーシュート（Under Shoot）が発生するようにデータＲＧＢをフィルタリングして変調データＲ’Ｇ’Ｂ’を生成する。そして、データ変換部１１０は、生成された変調データＲ’Ｇ’Ｂ’をタイミングコントローラ１０８に供給する。すなわち、データ変換部１１０は、入力データＲＧＢから静止映像と動映像とを分離し、フィルタリングによって動映像において視感によるローパス（Low Pass）効果を相殺することで空間的にデータＲＧＢを変調して変調データＲ’Ｇ’Ｂ’を生成する。このとき、データ変換部１１０は、入力データにおいて静止映像に対してのみ境界部を強調する反面、境界部以外の領域ではノイズ（Noise）が増幅しないように元の静止映像を変調しない。
【００３９】
タイミングコントローラ１０８は、データ変換部１１０から供給される変調データＲ’Ｇ’Ｂ’を映像表示部１０２の駆動に合うように整列し、整列されたデータ信号Ｄａｔａをデータドライバ１０４に供給する。また、タイミングコントローラ１０８は、外部から入力されるドットクロックＤＣＬＫ、データイネーブル信号ＤＥ、水平及び垂直同期信号Ｈｓｙｎｃ、Ｖｓｙｎｃを用いてデータ制御信号ＤＣＳとゲート制御信号ＧＣＳを生成してデータドライバ１０４とゲートドライバ１０６の駆動タイミングをそれぞれ制御する。
【００４０】
ゲートドライバ１０６は、タイミングコントローラ１０８からのゲート制御信号ＧＣＳのうちゲートスタートパルスＧＳＰとゲートシフトクロックＧＳＣに応答して、スキャンパルス、すなわち、ゲートハイパルスを順次に発生するシフトレジスタを備える。該ゲートドライバ１０６は、ゲートハイパルスを映像表示部１０２のゲートラインＧＬに順次に供給し、ゲートラインＧＬに接続されたＴＦＴをターンオンさせる。
【００４１】
データドライバ１０４は、タイミングコントローラ１０８から供給されるデータ制御信号ＤＣＳによって、タイミングコントローラ１０８からの整列されたデータ信号Ｄａｔａをアナログビデオ信号に変換し、ゲートラインＧＬにスキャンパルスが供給される１水平周期ごとに１水平ライン分のアナログビデオ信号を各データラインＤＬに供給する。すなわち、データドライバ１０４は、データ信号Ｄａｔａの階調値によって所定レベルを有するガンマ電圧を選択してアナログビデオ信号を生成し、生成されたアナログビデオ信号を各データラインＤＬ１〜ＤＬｍに供給する。このときに、データドライバ１０４は、極性制御信号ＰＯＬに応答してデータラインＤＬに供給されるアナログビデオ信号の極性を反転させる。
【００４２】
図８は、図７に示すデータ変換部１１０を概略的に示すブロック図である。
【００４３】
図８を図７と結びつけて説明すると、データ変換部１１０は、逆ガンマ変換部２００、輝度／色度分離部２１０、遅延部２２０、映像変調部２３０、ミキシング部２４０及びガンマ変換部２５０を備える。
【００４４】
逆ガンマ変換部２００は、外部から入力されるデータＲＧＢが陰極線管の出力特性を考慮してガンマ補正された信号であるので、下記の数学式１を用いて線形化した第１データＲｉ、Ｇｉ、Ｂｉに変換する。
【００４５】
【数１】
0004532441.tif 000002
【００４６】
輝度／色度分離部２１０は、フレーム単位の第１データＲｉ、Ｇｉ、Ｂｉを輝度成分Ｙ及び色度成分Ｕ、Ｖに分離する。ここで、輝度成分Ｙ及び色度成分Ｕ、Ｖのそれぞれは、下記の数学式２乃至４によって求められる。
【００４７】
［数２］
Ｙ＝０．２２９×Ｒｉ＋０．５８７×Ｇｉ＋０．１１４×Ｂｉ
【００４８】
［数３］
Ｕ＝０．４９３×（Ｂｉ−Ｙ）
【００４９】
［数４］
Ｖ＝０．８８７×（Ｒｉ−Ｙ）
【００５０】
また、輝度／色度分離部２１０は、数学式２乃至４によって第１データＲｉ、Ｇｉ、Ｂｉから分離された輝度成分Ｙを映像変調部２３０に供給するとともに、第１データＲｉ、Ｇｉ、Ｂｉから分離された色度成分Ｕ、Ｖを遅延部２２０に供給する。
【００５１】
映像変調部２３０は、輝度／色度分離部２１０から供給される前フレームデータの輝度成分と現フレームデータの輝度成分を用いて静止映像及び動映像を判断するとともに、動映像データから動きベクトルを検出し、動きベクトルによって静止映像の境界部でアンダーシュートが発生するようにデータＲＧＢをフィルタリングし、変調された輝度成分Ｙ’をミキシング部２４０に供給する。
【００５２】
遅延部２２０は、映像変調部２３０でフレーム単位の輝度成分Ｙをフィルタリングする間、フレーム単位の色度成分Ｕ、Ｖを遅延させて遅延色度成分ＵＤ、ＶＤを生成し、遅延された色度成分ＵＤ、ＶＤを、変調された輝度成分Ｙ’と同期してミキシング部２４０に供給する。
【００５３】
ミキシング部２４０は、映像変調部２３０から供給される変調された輝度成分Ｙ’と遅延部２２０から供給される色度成分ＵＤ、ＶＤとをミキシングして第２データＲｏ、Ｇｏ、Ｂｏを生成する。このとき、第２データＲｏ、Ｇｏ、Ｂｏは、下記の数学式５乃至７によって求められる。
【００５４】
［数５］
Ｒｏ＝Ｙ’＋０．０００×ＵＤ＋１．１４０×ＶＤ
【００５５】
［数６］
Ｇｏ＝Ｙ’−０．３９６×ＵＤ−０．５８１×ＶＤ
【００５６】
［数７］
Ｂｏ＝Ｙ’＋２．０２９×ＵＤ＋０．０００×ＶＤ
【００５７】
ガンマ変換部２５０は、ミキシング部２４０から供給される第２データＲｏ、Ｇｏ、Ｂｏを下記の数学式８によってガンマ補正して変調データＲ’Ｇ’Ｂ’に変換する。
【００５８】
【数２】
0004532441.tif 000003
【００５９】
すなわち、ガンマ変換部２５０は、ルックアップテーブル（Look Up Table）を用いて、第２データＲｏ、Ｇｏ、Ｂｏを映像表示部１０２の駆動回路に適合する変調データＲ’Ｇ’Ｂ’にガンマ補正してタイミングコントローラ１０８に供給する。
【００６０】
したがって、本発明の実施例によるデータ変換部１１０は、外部から入力されるデータＲＧＢにおける隣接フレーム間の静止映像及び動映像を判断し、静止映像の境界部でアンダーシュートが発生するように輝度成分Ｙをフィルタリングして映像を変調することによって、動く方向の境界部で発生するモーションブラー（Motion Blurring）現象を除去することができる。
【００６１】
図９は、図８に示す本発明の実施例による映像変調部２３０を概略的に示すブロック図である。
【００６２】
次に、図９を図８と結びつけて映像変調部２３０について詳細に説明する。
【００６３】
映像変調部２３０は、ラインメモリ部３００、低域通過フィルタ部３１０、第１及び第２フレームメモリ３２０，３３０、ブロック動き検出部３４０、ピクセル動き検出部３５０、ゲイン値設定部３６０、動きフィルタ部３７０及び乗算部３８０を備える。
【００６４】
ラインメモリ部３００は、輝度／色度分離部２１０から供給される輝度成分Ｙを、１水平ライン単位に保存する少なくとも３個のラインメモリを用いて少なくとも３水平ライン分の輝度成分Ｙを保存し、ｉ×ｉブロック単位（ただし、ｉは、３以上の正の整数）の輝度成分Ｙを低域通過フィルタ部３１０に供給する。
【００６５】
低域通過フィルタ部３１０は、ラインメモリ部３００からのｉ×ｉブロック単位の輝度成分Ｙをローパスフィルタリングして動きフィルタ部３７０に供給する。また、低域通過フィルタ部３１０は、ｉ×ｉブロック単位の輝度成分Ｙを用いて、ｉ×ｉブロック単位の輝度成分Ｙに対するガウス（Gaussian）分布の散布大きさを広く拡張させる。これにより、低域通過フィルタ部３１０でローパスフィルタリングされた輝度成分Ｙは、滑らかな映像となる。
【００６６】
第１及び第２フレームメモリ３２０，３３０のそれぞれは、輝度／色度分離部２１０から供給される輝度成分Ｙをフレーム単位に保存する。
【００６７】
ブロック動き検出部３４０は、輝度／色度分離部２１０から供給される現フレームＦｎの輝度成分Ｙと第１フレームメモリ３２０から供給される前フレームＦｎ−１の輝度成分Ｙとをｉ×ｉブロック単位に比較し、ｉ×ｉブロック単位に動きに対するＸ軸変位及びＹ軸変位を含む動きベクトルＸ、Ｙを検出する。
【００６８】
ピクセル動き検出部３５０は、輝度／色度分離部２１０から供給される現フレームＦｎの輝度成分Ｙと第２フレームメモリ３３０から供給される前フレームＦｎ−１の輝度成分Ｙとをピクセル単位に比較し、ピクセル単位の動き信号Ｓｍを生成してゲイン値設定部３６０に供給する。このとき、動き信号Ｓｍは、現フレームＦｎと前フレームＦｎ−１間の動きがある場合に第１論理状態（High）となり、そうでない場合には第２論理状態（Low）となる。
【００６９】
ゲイン値設定部３６０は、ブロック動き検出部３４０からの動きベクトルＸ、Ｙとピクセル動き検出部３５０からの動き信号Ｓｍを用いて、動き速度を設定するためのゲイン値Ｇを設定する。また、ゲイン値設定部３６０は、ブロック動き検出部３４０からの動きベクトルＸ、Ｙを用いて動き方向Ｍｄを設定する。
【００７０】
具体的に、ゲイン値設定部３６０は、動き信号Ｓｍが第１論理状態の場合、下記の数学式９のように動きベクトルＸ、Ｙによってゲイン値Ｇを設定し、これを動きフィルタ部３７０及び乗算部３８０に供給する。ここで、ゲイン値Ｇは、動きのＸ軸変位及びＹ軸変位によって決定されるので、値が大きければ大きいほど動き速度が増加するようになる。
【００７１】
【数９】
0004532441.tif 000004
【００７２】
そして、ゲイン値設定部３６０は、動き信号Ｓｍが第１論理状態の場合、動きのＸ軸変位及びＹ軸変位によってｉ×ｉブロック単位の動き方向Ｍｄを検出し、これを動きフィルタ部３７０に供給する。ここで、ｉ×ｉブロック単位の動き方向は、前フレームＦｎ−１と現フレームＦｎによって表示される動画が左側⇔右側、上側⇔下側、左側上部隅⇔右側下部隅及び左側下部隅⇔右側上部隅を含む８個の変位のうちいずれか一つによって決定される。
【００７３】
一方、ゲイン値設定部３６０は、動き信号Ｓｍが第２論理状態の場合、ゲイン値Ｇを“０”と設定するとともに、動き方向Ｍｄを“０”として検出して乗算部３８０に供給する。
【００７４】
動きフィルタ部３７０は、図１０に示すように、合算部３２２、比較部３２４、ガウスフィルタ３２６及びシャープネスフィルタ（Sharpness Filter）３２８を備える。
【００７５】
合算部３２２は、低域通過フィルタ部３１０でローパスフィルタリングされたｉ×ｉブロック単位の輝度成分Ｙｆにおいて中央部を除く周辺領域の輝度成分Ｙｆを合算し、合算された輝度成分Ｙａを比較部３２４に供給する。
【００７６】
比較部３２４は、低域通過フィルタ部３１０でローパスフィルタリングされたｉ×ｉブロック単位の輝度成分Ｙｆにおける中央部の輝度成分Ｙｃと合算部３２２からの合算された輝度成分Ｙａとを比較して比較信号Ｃｓを生成し、生成された比較信号Ｃｓをガウスフィルタ３２６及びシャープネスフィルタ３２８に供給する。このとき、比較信号Ｃｓは、中央部の輝度成分Ｙｃが合算された輝度成分Ｙａよりも大きい場合、第１論理状態（High）となり、そうでない場合には第２論理状態（Low）となる。
【００７７】
ガウスフィルタ３２６は、比較部３２４から供給される比較信号Ｃｓが第１論理状態の場合、ゲイン値設定部３６０から供給されるゲイン値Ｇによって、低域通過フィルタ部３１０からのローパスフィルタリングされたｉ×ｉブロック単位の輝度成分Ｙｆの合計が“１”となるようにフィルタリングして乗算部３８０に供給する。これにより、ガウスフィルタ３２６は、ｉ×ｉブロック単位の輝度成分Ｙｆで発生するオーバーシュートが最小化するように、ｉ×ｉブロック単位の輝度成分Ｙｆをスムーズにフィルタリングする。
【００７８】
シャープネスフィルタ３２８は、比較部３２４から供給される比較信号Ｃｓが第２論理状態の場合、ゲイン値設定部３６０から供給されるゲイン値Ｇ及び動き方向Ｍｄによって、低域通過フィルタ部３１０からのローパスフィルタリングされたｉ×ｉブロック単位の輝度成分Ｙｆの和が“０”となるようにフィルタリングして乗算部３８０に供給する。このときに、シャープネスフィルタ３２８によってフィルタリングされたｉ×ｉブロック単位の輝度成分Ｙｍは、中央部の輝度成分が周辺領域の輝度成分よりも大きい値（＋）を有する一方で、周辺領域の輝度成分が中央部の輝度成分よりも小さい値（−）を有するので、和は“０”となる。これにより、シャープネスフィルタ３２８は、ゲイン値Ｇ及び動き方向Ｍｄによって、ｉ×ｉブロック単位の輝度成分Ｙｆでアンダーシュートが発生するように、ｉ×ｉブロック単位の輝度成分Ｙｆをシャープネス（Sharpness）にフィルタリングする。
【００７９】
このような動きフィルタ部３７０は、低域通過フィルタ部３１０からのローパスフィルタリングされたｉ×ｉブロック単位の輝度成分Ｙｆを、ブロック動き検出部３４０からの動き速度Ｍｓによって、静止映像と動映像の境界部でアンダーシュートが発生するとともに、オーバーシュートは最小化するように輝度成分Ｙｆをフィルタリングする。
【００８０】
乗算部３８０は、動きフィルタ部３７０から供給されるフィルタリングされた輝度成分Ｙｍとゲイン値設定部３６０から供給されるゲイン値Ｇとを乗算し、変調された輝度成分Ｙ’をミキシング部２４０に供給する。これにより、変調された輝度成分Ｙ’において静止映像及び動映像の境界部に発生するアンダーシュートは、ゲイン値Ｇによって大きさが調節される。
【００８１】
一方、元映像の輝度成分Ｙを全体的にシャープネスフィルタリングする場合、図１１Ａの元映像は、図１１Ｂに示すように、静止映像及び動映像の全ての境界部に発生するアンダーシュート（黒色部分）及びオーバーシュート（白色部分）が発生する。これにより、図１２Ａの写真のような元映像は、図１２Ｂに示す写真のように、静止映像及び動映像の全ての境界部に発生するオーバーシュート（白色部分）によってモーションブラー現象が発生する。すなわち、オーバーシュートは、人の目に敏感に反応し、きらめく効果によってモーションブラー現象を引き起こすことになる。
【００８２】
したがって、映像変調部２３０は、静止映像及び動映像の境界部で人の視感に敏感なオーバーシュート（白色部分）を除くアンダーシュートのみで境界部を黒色線で鮮明に引いた効果を奏するように輝度成分Ｙを変調する。例えば、図１３Ａに示すように、元映像の輝度成分Ｙにおいて動映像についてのみシャープネスフィルタリングした映像を、図１３Ｂに示すように静止映像及び動映像Ｓの境界部でアンダーシュートのみが発生するように輝度成分Ｙを変調する。このとき、図１４Ａに示すような静止映像及び動映像の境界部では、図１４Ｂに示すように、動映像の動き速度Ｍｓによってアンダーシュートの大きさが設定される。すなわち、動映像の動き速度Ｍｓが、フレーム単位に３ピクセル以上である場合、アンダーシュートの大きさは相対的に広くなり、動映像の動き速度Ｍｓがフレーム単位に３ピクセル以下である場合、アンダーシュートの大きさは相対的に小さくなる。
【００８３】
結果的に、本発明の実施例による液晶表示装置の駆動装置は、元映像から図１５Ａに示すように動映像の動きを検出し、検出された動きの速度Ｍｓ及び方向Ｍｄによるゲイン値Ｇによってシャープネスフィルタリングして静止映像及び動映像の境界部でアンダーシュートのみが発生するように輝度成分Ｙを変調することによって、図１５Ｂに示すように、静止映像及び動映像が自然に分離され動映像が鮮明になるので、遠近感効果による立体感ある動映像の表現が可能になる。
【００８４】
図１６は、本発明の第２実施例による液晶表示装置の駆動装置を概略的に示す図面である。
図１６を参照すると、本発明の第２実施例による液晶表示装置の駆動装置は、ｎ本のゲートラインＧＬ１〜ＧＬｎとｍ本のデータラインＤＬ１〜ＤＬｍとによって定義されるピクセル領域ごとに形成された液晶セルを有する映像表示部１０２と、データラインＤＬ１〜ＤＬｍにアナログビデオ信号を供給するデータドライバ１０４と、ゲートラインＧＬ１〜ＧＬｎにスキャンパルスを供給するゲートドライバ１０６と、外部から入力されるデータＲＧＢにおける隣接フレーム間の静止映像及び動映像を判断して静止映像の境界部でアンダーシュート（Under Shoot）のみ発生するようにデータＲＧＢをフィルタリングして第１変調データＲ’Ｇ’Ｂ’を生成し、生成された第１変調データＲ’Ｇ’Ｂ’を液晶の応答速度を速くするための第２変調データＭＲ、ＭＧ、ＭＢに変調するデータ変換部４１０と、データ変換部４１０からの第２変調データＭＲ、ＭＧ、ＭＢを整列しデータドライバ１０４に供給してデータ制御信号ＤＣＳを生成してデータドライバ１０４を制御すると同時に、ゲート制御信号ＧＣＳを生成してゲートドライバ１０６を制御するタイミングコントローラ１０８と、を備える。
【００８５】
このように構成される本発明の第２実施例による液晶表示装置の駆動装置は、データ変換部４１０以外は本発明の第１実施例と同様に構成されるので、詳細説明は省くものとする。
【００８６】
データ変換部４１０は、図１７に示すように、逆ガンマ変換部２００、輝度／色度分離部２１０、遅延部２２０、映像変調部２３０、ミキシング部２４０及びガンマ変換部２５０及び高速駆動回路４６０を備える。
【００８７】
このように構成されるデータ変換部４１０は、高速駆動回路４６０以外は、図８及び図１０に示すデータ変換部１１０と同じ構成を有するので、その詳細説明は省くものとする。
【００８８】
高速駆動回路４６０は、図１８に示すように、ガンマ変換部２５０から供給される第１変調データＲ’Ｇ’Ｂ’を保存するフレームメモリ４６２と、ガンマ変換部２５０から供給される現フレームＦｎの第１変調データＲ’Ｇ’Ｂ’とフレームメモリ４６２からの前フレームＦｎ−１の第１変調データＲ’Ｇ’Ｂ’とを比較して、液晶の応答速度を速くするための第２変調データＭＲ、ＭＧ、ＭＢを生成するルックアップテーブル４６４と、ルックアップテーブル４６４からの第２変調データＭＲ、ＭＧ、ＭＢと現フレームＦｎの第１変調データＲ’Ｇ’Ｂ’とをミキシングしてタイミングコントローラ１０８に供給するミキシング部４６６と、を備える。
【００８９】
ルックアップテーブル４６４には、速く変化する映像の階調値に対応するように液晶の応答速度を速くすべく、現フレームＦｎの第１変調データＲ’Ｇ’Ｂ’の電圧よりも大きい電圧に変換するための第２変調データＭＲ、ＭＧ、ＭＢが登載される。
【００９０】
ミキシング部４６６は、現フレームＦｎの第１変調データＲ’Ｇ’Ｂ’と第２変調データＭＲ、ＭＧ、ＭＢとを混合してタイミングコントローラ１０８に供給する。
【００９１】
このような高速駆動回路４６０は、ルックアップテーブル４６４を用いて現フレームＦｎの第１変調データＲ’Ｇ’Ｂ’を第２変調データＭＲ、ＭＧ、ＭＢに変換し、第１変調データＲ’Ｇ’Ｂ’と第２変調データＭＲ、ＭＧ、ＭＢとをミキシングして液晶の応答速度を速くすることによってモーションブラー現象を防止することができる。
【００９２】
一方、以上説明してきた本発明は、上述した実施例及び添付の図面に限定されるものではなく、本発明の技術的思想を逸脱しない範囲内で種々の置換、変形及び変更が可能であるということは、本発明の属する技術分野における通常の知識を持つ者にとって明白である。
【図面の簡単な説明】
【００９３】
【図１】関連技術による液晶表示装置の駆動装置を概略的に示す図である。
【図２】図１に示す液晶セルの応答速度及び輝度を示す図である。
【図３】関連技術による液晶表示装置の駆動装置及び駆動方法で発生するモーションブラー現象を示す図である。
【図４】関連技術による高速駆動装置を概略的に示すブロック図である。
【図５】図４に示す高速駆動装置による液晶セルの応答速度及び輝度を示す図である。
【図６】関連技術による映像の境界部を示す図である。
【図７】本発明の第１実施例による液晶表示装置の駆動装置を概略的に示す図である。
【図８】図７に示すデータ変換部を概略的に示すブロック図である。
【図９】図８に示す映像変調部を概略的に示すブロック図である。
【図１０】図９に示す動きフィルタ部を概略的に示すブロック図である。
【図１１Ａ】元映像の輝度成分を示す図である。
【図１１Ｂ】元映像の輝度成分を全体的にシャープネスフィルタリングする場合のオーバーシュート及びアンダーシュートを示す図である。
【図１２Ａ】元映像を示す写真である。
【図１２Ｂ】図１１Ｂに示すように元映像の輝度成分を全体的にシャープネスフィルタリングする場合の映像を示す写真である。
【図１３Ａ】元映像から動映像のみをシャープネスフィルタリングする場合のオーバーシュート及びアンダーシュートを示す図である。
【図１３Ｂ】元映像から動映像のみをシャープネスフィルタリングする場合の映像を示す写真である。
【図１４Ａ】元映像の静止映像及び動映像の境界部の輝度成分を示す波形図である。
【図１４Ｂ】動きの速度によるゲイン値によって静止映像及び動映像の境界部に発生するアンダーシュートの大きさを示す波形図である。
【図１５Ａ】元映像から検出される動映像を示す写真である。
【図１５Ｂ】本発明の実施例によって静止映像及び動映像の境界部でアンダーシュートのみが発生するようにフィルタリングされた映像を示す写真である。
【図１６】本発明の第２実施例による液晶表示装置の駆動装置を概略的に示す図である。
【図１７】図１６に示すデータ変換部を概略的に示す図である。
【図１８】図１７に示す高速駆動回路を概略的に示す図である。
【符号の説明】
【００９４】
２，１０２    映像表示部
４，１０４    データドライバ
６，１０６    ゲートドライバ
８，１０８    タイミングコントローラ
１１０，４１０    データ変換部
２００    逆ガンマ変換部
２１０    輝度／色度分離部
２２０    遅延部
２３０    映像変調部
２４０，４６６    ミキシング部
２５０    ガンマ変換部
３００    ラインメモリ部
３１０    低域通過フィルタ部
３２０    第１フレームメモリ
３２２    合算部
３２４    比較部
３２６    ガウスフィルタ
３２８    シャープネスフィルタ
３３０    第２フレームメモリ
３４０    ブロック動き検出部
３５０    ピクセル動き検出部
３６０    ゲイン値設定部
３７０    動きフィルタ部
３８０    乗算部
４６０    高速駆動回路
４６２    フレームメモリ
４６４    ルックアップテーブル
【図１】
0004532441.tif 000005
【図２】
0004532441.tif 000006
【図４】
0004532441.tif 000007
【図５】
0004532441.tif 000008
【図６】
0004532441.tif 000009
【図７】
0004532441.tif 000010
【図８】
0004532441.tif 000011
【図９】
0004532441.tif 000012
【図１０】
0004532441.tif 000013
【図１４Ａ】
0004532441.tif 000014
【図１４Ｂ】
0004532441.tif 000015
【図１６】
0004532441.tif 000016
【図１７】
0004532441.tif 000017
【図１８】
0004532441.tif 000018
【図３】
0004532441.tif 000019
【図１１Ａ】
0004532441.tif 000020
【図１１Ｂ】
0004532441.tif 000021
【図１２Ａ】
0004532441.tif 000022
【図１２Ｂ】
0004532441.tif 000023
【図１３Ａ】
0004532441.tif 000024
【図１３Ｂ】
0004532441.tif 000025
【図１５Ａ】
0004532441.tif 000026
【図１５Ｂ】
0004532441.tif 000027